(57)【要約】【課題】皮膚状態を適切に推定し得る皮膚状態推定装置を提供する。【解決手段】皮膚状態推定装置１０，１１０は、皮膚温度取得手段２０及び／又は画像データ取得手段１２０と、皮膚状態推定手段３０，１３０と、状態可視化手段２００とを備える。皮膚温度取得手段２０は、皮膚温度データを時系列で取得する。画像データ取得手段１２０は、検査対象部位の皮膚の撮像画像データを時系列で取得する。皮膚状態推定手段３０，１３０は、皮膚温度データ及び／又は皮膚血行量データを、特異値分解、主成分分析或いは独立成分分析により分解することで得られた複数の成分に基づき、検査対象部位の皮膚状態を推定する。状態可視化手段２００は、皮膚状態推定手段３０により推定された皮膚状態活動に基づき、検査対象部位が異常であるか否かを判定する。【選択図】図５
2017074217.tif 000002
【特許請求の範囲】
【請求項１】
人体の検査対象部位の皮膚から検出した皮膚温度データであって検出部位の位置データを含む前記皮膚温度データを時系列で取得する皮膚温度取得手段（２０）及び／又は人体の検査対象部位の皮膚を時系列で撮影した撮影画像データに対して行われるＲＧＢ処理により得られた前記撮影画像データのＲＧＢデータに基づき皮膚血行量データを時系列で取得する皮膚状態取得手段と、
前記皮膚温度取得手段により取得された前記皮膚温度データ及び／又は前記皮膚状態取得手段により取得された前記皮膚血行量データを、特異値分解、主成分分析或いは独立成分分析により分解することで得られた複数の成分に基づき、前記検査対象部位の皮膚状態を推定する皮膚状態推定手段（３０，１３０）と、
前記皮膚状態推定手段により推定された前記検査対象部位の皮膚状態に基づき、前記検査対象部位が異常であるか否かを判定する異常判定手段（２００）と、
を備える皮膚状態推定装置（１０，１１０）。
【請求項２】
前記皮膚状態推定手段は、
前記複数の成分のうち、その成分波形の振幅が皮膚の賦活化と相関関係にある成分を判定用成分として抽出し、
前記判定用成分に基づき、前記検査対象部位の皮膚状態を推定する、
請求項１に記載の皮膚状態推定装置。
【請求項３】
皮膚状態と疾患情報とを関連付けて記憶する疾患情報記憶部（２１０）をさらに備え、
前記異常判定手段は、前記皮膚状態推定手段により推定された皮膚状態に基づいて前記疾患情報記憶部から前記疾患情報が抽出された場合に、前記検査対象部位が異常であると判定するとともに、抽出された前記疾患情報を提示する、
請求項１又は２に記載の皮膚状態推定装置。
【請求項４】
前記皮膚温度取得手段及び／又は前記皮膚状態取得手段と、前記異常判定手段とがスマートデバイスに格納されている、
請求項１から３のいずれか１項に記載の皮膚状態推定装置。
【請求項５】
前記皮膚温度取得手段及び／又は前記皮膚状態取得手段と、前記皮膚状態推定手段と、前記異常判定手段とがスマートデバイスに格納されている、
請求項１から４のいずれか１項に記載の皮膚状態推定装置。
【請求項６】
請求項１から５のいずれか１項に記載の皮膚状態推定装置を用いて実行される皮膚状態推定方法であって、
前記検査対象部位の皮膚を冷却して、その検査対象部位の皮膚を賦活化する皮膚賦活化工程と、
前記賦活化工程の前後の前記皮膚温度データ及び／又は前記皮膚血行量データに基づいて、皮膚がん、ニキビ、乳がん、コリ及び未病の少なくとも一つの症状に前記検査対象部位が該当するか否かを判定する症状判定工程と、
を具備する皮膚状態推定方法。
【発明の詳細な説明】
【技術分野】
【０００１】
本発明は、皮膚状態推定装置に関する。
【背景技術】
【０００２】
近年、皮膚画像を解析して治療や診断に役立てる技術が検討されている。例えば、特許文献１（特開平７−１２４１２６号公報）には、被験者への電極固定等の接触、束縛なしで生体情報を動画像として抽出する技術が開示されている。特許文献２（特表２００８−５０５６８４号公報）には、サーモグラフィの画像から乳がんを特定し得る技術が開示されている。特許文献３（特表２００３−５２４４９０号公報）には、関節等の炎症を膨らみ・色・関節可動域等から総合的に判定しようとする技術が開示されている。
【発明の概要】
【発明が解決しようとする課題】
【０００３】
しかしながら、皮膚画像は種々の条件によって影響を受けるので、画像変化の原因を特定することが困難である。結果として、皮膚状態を適切に把握できず、特定の疾患等に対して効果的な治療や診断をすることが困難な状況が生じている。
【０００４】
本発明の課題は、皮膚状態を適切に推定し得る皮膚状態推定装置を提供することにある。
【課題を解決するための手段】
【０００５】
本発明の第１観点に係る皮膚状態推定装置は、皮膚温度取得手段及び／又は皮膚状態取得手段と、皮膚状態推定手段と、異常判定手段と、を備える。皮膚温度取得手段は、皮膚温度データを時系列で取得する。皮膚温度データは、人体の検査対象部位の皮膚から検出した皮膚温度データであって検出部位の位置データを含むものである。皮膚状態取得手段は、皮膚血行量データを時系列で取得する。皮膚血行量データは、人体の検査対象部位の皮膚を時系列で撮影した撮影画像データに対してＲＧＢ処理を行い、ＲＧＢ処理により得られた撮影画像データのＲＧＢデータに基づき取得される。皮膚状態推定手段は、皮膚温度データ及び／又は皮膚血行量データを、特異値分解、主成分分析或いは独立成分分析により分解することで得られた複数の成分に基づき、検査対象部位の皮膚状態を推定する。異常判定手段は、皮膚状態推定手段により推定された検査対象部位の皮膚状態に基づき、検査対象部位が異常であるか否かを判定する。
【０００６】
本発明の第１観点の係る皮膚状態推定装置では、皮膚温度データ及び／又は皮膚血行量データを、特異値分解、主成分分析或いは独立成分分析により分解することで得られた複数の成分に基づき、検査対象部位の皮膚状態を推定するので、外部要因によらずに画像変化の原因を特定することができ、皮膚状態を適切に推定できる。
【０００７】
本発明の第２観点に係る皮膚状態推定装置は、第１観点の皮膚状態推定装置において、皮膚状態推定手段は、複数の成分のうち、その成分波形の振幅が皮膚の賦活時及び皮膚の非賦活時の変化と相関関係にある成分を判定用成分として抽出する。そして、皮膚状態推定手段は、判定用成分に基づき検査対象部位が異常であるか否かを判定する。
【０００８】
本発明の第２観点の係る皮膚状態推定装置では、複数の成分のうちの皮膚の賦活／非賦活と相関関係にある成分が対象者の皮膚状態を推定する判定用成分として抽出される。このため、対象者の皮膚状態と関連性が高いと推測される成分から皮膚状態を推定することができる。結果として、検査対象部位の異常判定の妥当性を高めることができる。
【０００９】
本発明の第３観点に係る皮膚状態推定装置は、第１観点から第３観点のいずれかの皮膚状態推定装置であって、疾患情報記憶部をさらに備える。疾患情報記憶部は、皮膚状態と疾患情報とを関連付けて記憶する。また、異常判定手段は、皮膚状態基づいて検査対象部位が異常であると判定するとともに、疾患情報記憶部から抽出された疾患情報を提示する。
【００１０】
本発明の第３観点に係る皮膚状態推定装置では、疾患情報記憶部に記憶された皮膚状態と疾患情報との関連付けを最適化することで、異常判定の精度を高めていくことができる。
【００１１】
本発明の第４観点に係る皮膚状態推定装置は、第１観点から第３観点のいずれかの皮膚状態推定装置であって、皮膚温度取得手段及び／又は皮膚状態取得手段と、異常判定手段とがスマートデバイスに格納されているものである。
【００１２】
本発明の第４観点に係る皮膚状態推定装置では、スマートデバイスにより情報の入出力がなされるので、対象者は検査対象部位が異常であるか否かを簡便に判定できる。また、異常判定手段をサーバに設けることで、演算負荷を軽減することができる。
【００１３】
本発明の第５観点に係る皮膚状態推定装置は、第１観点から第４観点のいずれかの皮膚状態推定装置であって、皮膚温度取得手段及び／又は皮膚状態取得手段と、皮膚状態推定手段と、異常判定手段とがスマートデバイスに格納されているものである。
【００１４】
本発明の第５観点に係る皮膚状態推定装置では、スマートデバイスにより情報の入出力及び演算がなされるので、対象者は検査対象部位が異常であるか否かを簡便に判定できる
本発明の第６観点に係る皮膚状態推定方法は、第１観点から第５観点のいずれかの皮膚状態推定装置を用いて実行される。この皮膚状態推定方法では、検査対象部位の皮膚を冷却して、その検査対象部位の皮膚を賦活化する。そして、賦活化の前後の皮膚温度データ及び／又は皮膚血行量データに基づいて、皮膚がん、ニキビ、乳がん、コリ及び未病の少なくとも一つの症状に検査対象部位が該当するか否かを判定する。なお、ここでは「未病」とは、健康状態の範囲であるが病気に近い状態のこという。
【００１５】
本発明の第６観点に係る皮膚状態推定方法では、検査対象部位の皮膚を冷却して、その検査対象部位の皮膚を賦活化するので、賦活化前後の皮膚温度データ及び／又は皮膚血行量データに基づいて、検査対象部位が異常であるか否かを（皮膚がん、ニキビ、乳がん、コリ及び未病の少なくとも一つの症状に該当するか否かを）簡便に判定できる。
【発明の効果】
【００１６】
本発明の第１観点に係る皮膚状態推定装置では、検査対象部位の皮膚状態を適切に推定できる。
【００１７】
本発明の第２観点に係る皮膚状態推定装置では、検査対象部位の異常判定の妥当性を高めることができる。
【００１８】
本発明の第３観点に係る皮膚状態推定装置では、異常判定の精度を高めていくことができる。
【００１９】
本発明の第４，５観点に係る皮膚状態推定装置では、スマートデバイスを利用して検査対象部位の異常を簡便に判定できる。
【００２０】
本発明の第６観点に係る皮膚状態推定方法では、検査対象部位が異常であるか否かを簡便に判定できる。
【図面の簡単な説明】
【００２１】
【図１】本発明の一実施形態に係る皮膚状態推定装置の概略図。
【図２】皮膚状態推定装置において特定の疾患等に関連する皮膚温度の変化を示す成分を同定する際の処理の流れの一例を示すフローチャート。
【図３】本発明の一実施形態に係る皮膚状態推定装置の概略図。
【図４】皮膚状態推定装置において特定の疾患等に関連する皮膚のＲＧＢ変化を示す成分を同定する際の処理の流れの一例を示すフローチャート。
【図５】本発明の一実施形態に係る異常判定装置の概略図。
【発明を実施するための形態】
【００２２】
本発明の実施形態を説明する前に、まず、本発明者らが本発明を為すにあたって重要な基礎となった、本発明者らによる知見について説明する。
【００２３】
（１）本発明者らによる知見の要点
本発明者らは、鋭意検討した結果、人体の皮膚温度を検出し、検出部位の位置データ（座標データ）を含む時系列の皮膚温度データを、或いは、時系列の皮膚の撮影画像データから得られるＲＧＢデータに基づき算出された時系列の皮膚血行量データを、特異値分解法、主成分分析法若しくは独立成分分析法を用いて複数の成分に分解し、分解した複数の成分について解析を行うことで、特定の疾患等を反映した皮膚温度の変化或いは血行量の変化を示す成分を同定することができることを見いだした。そして、本発明者らは、対象者の皮膚状態を推定し、これを解析することで、推定した皮膚状態に基づき対象者の生理状態を可視化することのできる本発明に到達した。
【００２４】
（２）皮膚の各種データの取得方法、及び取得した各種データの解析方法
（２−１）皮膚温度データの取得方法、及び皮膚温度データの解析方法
次に、本発明者らが上記の知見を得るに際して用いた皮膚温度データの取得方法、及び皮膚温度データの解析方法について説明する。
【００２５】
赤外線サーモグラフィ装置は、対象物から出ている赤外線放射エネルギーを赤外線カメラで検出し、検出した赤外線放射エネルギーを対象物表面の温度（ここでは、摂氏での温度）に変換して、その温度分布を皮膚温度データ（例えば、温度分布を表した画像データ）として表示、蓄積することが可能な装置である。なお、赤外線サーモグラフィ装置として、NEC Avio 赤外線テクノロジー株式会社製のR300を使用した。
【００２６】
また、この試験では、皮膚温度データを取得している間に、被験者に対して皮膚を賦活化した。これにより、非賦活時の皮膚温度データ、及び賦活時の皮膚温度データを取得した。皮膚を賦活化させる方法としては、人体の検査対象部位の皮膚を冷却し、その後所定時間放置する方法を採用することができる。なお、皮膚温度データの取得開始から５分経過後から１０分間継続して、被験者の皮膚を冷却した。
【００２７】
皮膚温度データの解析としては、ＭＡＴＬＡＢ（登録商標）のＳＶＤ（Singular Value Decomposition）を分析ツールとして用いて特異値分解を行った。特異値分解では、時系列で取得した全ての皮膚温度データ（３０分間のデータ）を対象とし、要因を３０秒毎の時間データ（３０分間で６０ time point）とし、測度をその期間（３０秒間）における皮膚温度データ（２４０×３２０ pixels）とした。そして、特異値分解により、皮膚温度データＸを、複数の成分に分解し、それぞれの成分の時間分布Ｖと、空間分布Ｕと、各成分の大きさを示す特異値Ｓとを算出した。なお、これらの関係は、以下の式で表される。また、Ｖ’は、Ｖの行と列とを入れ替えた行列である。
【００２８】
【数１】
2017074217.tif 000003
【００２９】
ここで、この赤外線サーモグラフィ装置では、上述しているように、対象物から検出された赤外線放射エネルギーを温度に変換して、その温度分布を皮膚温度データとしている。ところで、人間を対象として赤外線サーモグラフィ装置を用いて皮膚温度を取得する場合、体の動き及び／又は自律神経の活動等の様々な特定の疾患等とは関連しない温度変化（いわゆるノイズ）についても皮膚温度データとして取得してしまう。そこで、このような特定の疾患等とは関連しない温度変化を検出するために、３０秒毎の皮膚温度データの全平均値を「０」とした相対的な皮膚温度データを作成し、作成した皮膚温度データについても、ＭＡＴＬＡＢ（登録商標）のＳＶＤを分析ツールとして用いて特異値分解を行い、特異値Ｓに応じた各成分の成分波形図と温度分布図とを作成し、特定の疾患等を反映した皮膚温度の変化を示す成分を同定するための解析を行う。
【００３０】
なお、以下より、説明の便宜上、赤外線サーモグラフィ装置で取得した皮膚温度データを「温度換算データに応じた皮膚温度データ」といい、所定時間毎（この試験では３０秒毎）の温度換算データに応じた皮膚温度データに含まれる温度データの全平均値を「０」とした相対的な皮膚データを「相対温度換算データに応じた皮膚温度データ」という。
【００３１】
（２−２）撮影画像データの取得方法、及び撮影画像データの解析方法
次に、本発明者らが上記の知見を得るに際して用いた撮影画像データの取得方法、及び撮影画像データの解析方法について説明する。
【００３２】
また、撮影装置として、Apple社製のiPad Air（登録商標）の備える液晶画面側の撮影装置を使用し、時系列の撮影画像データとしてカラーの動画データを取得した。
【００３３】
さらに、この試験では、検査対象部位の皮膚の動画データを取得している間に、被験者に対して皮膚を賦活化した。これにより、非賦活時の皮膚の動画データ、及び賦活時の皮膚の動画データを取得した。上記同様に、皮膚を賦活化させる方法としては、人体の検査対象部位の皮膚を冷却し、その後所定時間放置する方法を採用することができる。なお、皮膚の動画データの取得開始から５分経過後から１０分間継続して、被験者の皮膚を冷却した。
【００３４】
皮膚の動画データの解析としては、撮影した皮膚の動画データより得られたＲＧＢデータに基づき血行量データを算出し、算出した時系列の血行量データを対象として、ＭＡＴＬＡＢ（登録商標）のＳＶＤを分析ツールとして用いて特異値分解を行った。ここでは、ＣＩＥ−Ｌ*ａ*ｂ*表色系に従って、画像のＲＧＢデータより演算される肌の赤みやヘモグロビン量と相関のある紅斑指数「ａ*」を求め、これを血行量データとした。また、特異値分解では、時系列で取得した全ての動画データ（３０分間のデータ）から得られたＲＧＢデータに基づく血行量データ（ここでは、紅斑指数）を対象とし、要因を３０秒毎の時間データ（３０分間で６０ time point）とし、測度をその期間（３０秒毎）におけるＲＧＢデータから演算した紅斑指数（３０秒毎に１秒間のフレームデータを取り出し、該フレームデータから得られるＲＧＢ値の平均値から演算した紅斑指数；２４０×３２０ pixels）とした。そして、特異値分解により、顔面の動画データより得られたＲＧＢデータに基づく時系列の血行量データを、複数の成分に分解し、それぞれの成分の時間分布Ｖと、空間分布Ｕと、各成分の大きさを示す特異値Ｓとを算出した。なお、これらの関係は、上記式（数１）と同様の式で表される。
【００３５】
そして、特異値分解によって求められた各成分の時間分布Ｖ及び空間分布Ｕに基づいて、特定の疾患等を反映した皮膚の血行量の変化すなわち皮膚のＲＧＢ変化を示す成分の同定を行う。
【００３６】
各成分の成分波形図については、その成分波形の振幅と、皮膚の非賦活時及び皮膚の賦活時との相関関係の有無について解析する。具体的には、各成分の成分波形図に示された振幅と、皮膚の非賦活期間／皮膚の賦活期間との間に相関関係があるか否かを評価する。      
【００３７】
各成分の血行量分布図については、顔面の所定部位における血行量変化の有無について解析した。血行量分布図は、ピクセル毎に算出された空間分布Ｕを各ピクセルの位置に並べることで作成される。このように作成された各成分の血行量分布図において、検査対象部位における血行量の変化があるか否かを評価する。なお、血行量分布図における検査対象部位の血行量変化の有無については、目視（visual inspection）による血行量変化の有無、もしくは検査対象部位の血行量の値が「0.000」でないことを血行量変化の有無の基準とする。
【００３８】
なお、空間分布Ｕ、特異値Ｓ及び時間分布Ｖの値の関係で、血行量データＸの極性（プラスマイナス）が決定するため、各成分の成分波形図及び血行量分布図において極性が反転して現れることがある。このため、成分波形図及び血行量分布図の評価に関して、極性については評価対象としない。
【００３９】
ところで、撮影装置を用いて皮膚の撮影画像データを取得する場合、撮影中に光が皮膚で反射し、この反射光が撮影装置のレンズに入り込んでしまうことがある。そうすると、撮影された皮膚の撮影画像データにはこの反射光が記録されてしまうことになる。ここで、撮影画像データから得られるＲＧＢデータにおいて、皮膚の血行量に基づく明度の変化は反射光に基づく明度の変化よりも小さいことがあり、反射光の記録された撮影画像データから得られるＲＧＢデータに基づいて算出された血行量が解析されると、特定の疾患等とは関連しない皮膚のＲＧＢ変化（いわゆるノイズ）が混入してしまう可能性があると考えられた。そこで、このような特定の疾患等とは関連しない皮膚のＲＧＢ変化の混入を防ぐために、３０秒毎のＲＧＢデータの全平均値を「０」とした相対的なＲＧＢデータから相対的な血行量データを作成し、作成した血行量データについても、ＭＡＴＬＡＢ（登録商標）のＳＶＤを分析ツールとして用いて特異値分解を行い、特異値Ｓに応じた各成分の成分波形図と血行量分布図とを作成し、特定の疾患等を反映した皮膚のＲＧＢ変化を示す成分を同定する。
【００４０】
なお、以下より、説明の便宜上、所定時間毎（この試験では３０秒毎）のＲＧＢデータの全平均値を「０」とした相対的なＲＧＢデータに基づく相対的な血行量データを「相対換算血行量データ」といい、相対的なＲＧＢデータに換算する前のＲＧＢデータに基づく血行量データを単に「血行量データ」という。
【００４１】
（３）皮膚状態推定装置
次に、上記に説明した知見に基づいて、本発明者らが完成するに至った本発明の一実施形態に係る皮膚状態推定装置１０，１１０について説明する。なお、本発明に係る皮膚状態推定装置は、以下の実施形態に限定されるものではなく、要旨を逸脱しない範囲で適宜変更可能である。
【００４２】
本発明の一実施形態に係る皮膚状態推定装置１０，１１０は、皮膚温度データに基づき皮膚状態を推定する皮膚状態推定手段３０、及び／又は皮膚の撮影画像データに基づき皮膚状態を推定する皮膚状態推定手段１３０を備えている。以下では、本発明の一実施形態に係る皮膚状態推定装置１０，１１０を説明する前に、各皮膚状態推定手段３０，１３０について説明する。
【００４３】
（３−１）皮膚温度データに基づき皮膚状態を推定する皮膚状態推定手段３０
図１は、本発明の一実施形態に係る皮膚状態推定装置１０の概略図である。図２は、皮膚状態推定装置１０において特定の疾患等に関連する皮膚温度の変化を示す成分を同定する際の処理の流れを示すフローチャートである。
【００４４】
皮膚状態推定装置１０の備える皮膚状態推定手段３０は、人体の検査対象部位の皮膚温度から、検査対象部位の皮膚状態を推定する。皮膚状態推定装置１０は、図１に示すように、皮膚温度取得手段２０と、皮膚状態推定手段３０と、状態可視化手段２００と、を備える。
【００４５】
皮膚温度取得手段２０は、人体の検査対象部位の皮膚温度を検出し、検出した温度データ及びその検出部位の位置データを含む皮膚温度データを時系列で取得する（ステップＳ１）。なお、ここでは、皮膚温度取得手段２０は、赤外線サーモグラフィ装置であり、図１に示すように、赤外線カメラ２１と、処理部２２と、を有する。赤外線カメラ２１は、検査対象部位の皮膚から出ている赤外線放射エネルギーを検出するためのものである。そして、ここでは、赤外線カメラ２１は、検査対象部位の皮膚から赤外線放射エネルギーを検出しているものとする。処理部２２は、赤外線カメラ２１によって検出した赤外線放射エネルギーを温度に変換して温度データとし、赤外線放射エネルギーの検出された部位を位置データ（座標データ）とした検査対象部位における皮膚温度の温度分布図を作成し、作成した温度分布図を温度換算データに応じた皮膚温度データとして処理する。温度換算データに応じた皮膚温度データは、処理部２２の有する記憶部（図示せず）に蓄積される。
【００４６】
また、ここでは、皮膚温度取得手段２０により温度換算データに応じた皮膚温度データが取得されている間に、皮膚の賦活化が行なわれる。すなわち、皮膚温度取得手段２０により取得される温度換算データに応じた皮膚温度データには、個人に対して皮膚の賦活化が行なわれている期間のデータが含まれていることになる。なお、検査対象部位の皮膚の賦活化は、皮膚が賦活状態になると推定されるものであれば特に限定されるものではなく、例えば、皮膚状態推定装置１０の利用目的に応じてその内容が適宜決定されるよう構成されていてもよい。
【００４７】
皮膚状態推定手段３０は、皮膚温度取得手段２０により取得された温度換算データに応じた皮膚温度データに基づき、検査対象部位の皮膚状態を推定する。具体的には、皮膚状態推定手段３０は、図１に示すように、換算部３１と、解析部３２と、推定部３３と、を有する。
【００４８】
換算部３１は、温度換算データに応じた皮膚温度データに含まれる温度データを相対的な温度データに換算し、換算した相対的な温度データに基づく皮膚温度データすなわち相対温度換算データに応じた皮膚温度データを作成する（ステップＳ２）。具体的には、換算部３１は、所定時間毎（例えば、３０秒）の温度換算データに応じた皮膚温度データに含まれる温度データの平均値を基準値として、該温度データを相対的な温度データに換算する。そして、換算部３１は、換算した相対的な温度データ及び位置データを利用して、相対温度換算データに応じた皮膚温度データを作成する。
【００４９】
解析部３２は、時系列の温度換算データに応じた皮膚温度データ及び相対温度換算データに応じた皮膚温度データのそれぞれを、特異値分解、主成分分析或いは独立成分分析により複数の成分に分解する（ステップＳ３）。ここでは、解析部３２は、取得した温度換算データに応じた皮膚温度データ及び換算した相対温度換算データに応じた皮膚温度データのそれぞれを対象として、ＭＡＴＬＡＢ（登録商標）のＳＶＤを分析ツールとして用いて、特異値分解を行う。特異値分解は、時系列で取得した温度換算データに応じた皮膚温度データ及び相対温度換算データに応じた皮膚温度データについて、要因を所定期間（例えば、３０秒）毎の時間データとし、測度をその期間における温度換算データに応じた皮膚温度データ及び相対温度換算データに応じた皮膚温度データとして行われる。そして、特異値分解により、温度換算データに応じた皮膚温度データ及び相対温度換算データに応じた皮膚温度データのそれぞれを複数の成分に分解し、時間分布と、空間分布と、各成分の大きさを示す特異値とを算出する。
【００５０】
また、解析部３２は、特異値分解によって分解した複数の成分から特定の疾患等に関連する皮膚温度の変化を示す成分を同定するために、各成分が第１条件及び第２条件を満たすか否かを判定する（ステップＳ４ａ、ステップＳ４ｂ、ステップＳ５ａ、及びステップＳ５ｂ）。なお、ここでは、解析部３２において、まず、温度換算データに応じた皮膚温度データに基づく各成分について第１条件が満たされているか否かが判定され（ステップＳ４ａ）、ステップＳ４ａにおいて第１条件が満たされていると判定された温度換算データに応じた皮膚温度データに基づく成分について第２条件が満たされているか否かが判定される（ステップＳ４ｂ）。そして、相対温度換算データに応じた皮膚温度データに基づく各成分のうちステップＳ４ａ及びステップＳ４ｂにおいて第１条件及び第２条件を満たすと判定された成分と一致する成分についてのみ第１条件が満たされているか否かが判定され（ステップＳ５ａ）、その後、ステップＳ５ａにおいて第１条件が満たされていると判定された相対温度換算データに応じた皮膚温度データに基づく成分について第２条件が満たされているか否かが判定される（ステップＳ５ｂ）。しかしながら、解析部３２における該判定の順序はこれに限定されるものではなく、例えば、温度換算データに応じた皮膚温度データに基づく各成分と、相対温度換算データに応じた皮膚温度データに基づく各成分とが、第１条件及び第２条件を満たすか否かがそれぞれ判定され、判定結果の一致する成分が最終的に抽出されてもよい。
【００５１】
第１条件とは、特異値分解によって分解した成分の成分波形の振幅が、皮膚の非賦活時及び皮膚の賦活時の変化と相関関係にある、という条件である。解析部３２は、複数の成分のうち、第１条件を満たす成分を、判定用成分として抽出する。なお、ここでは、温度換算データに応じた皮膚温度データを取得している間に、検査対象部位の皮膚を賦活化する期間が一定期間ある。解析部３２は、検査対象部位の皮膚を賦活化しない期間を皮膚の非賦活時とし、検査対象部位の皮膚を賦活化する期間を皮膚の賦活時として、検査対象部位の皮膚を賦活化する期間及び賦活化しない期間と、各成分の成分波形とを比較解析する。解析部３２は、成分波形データに基づく比較解析結果を利用して、各成分の成分波形と皮膚の非賦活時及び皮膚の賦活時とが相関関係にあるか否かを評価し、複数の成分のうち相関関係にあると評価した成分を、第１条件を満たす判定用成分として抽出する。一方、解析部３２は、複数の成分のうち相関関係にないと評価した成分を、第１条件を満たさず特定の疾患等に関連する温度変化を示す成分ではないと判定する（ステップＳ６）。
【００５２】
ここでは、温度換算データに応じた皮膚温度データの取得時に検査対象部位の皮膚を賦活化する期間が一定期間与えられており、これに基づき解析部３２は判定用成分を抽出しているが、第１条件の内容、すなわち解析部３２における判定用成分の抽出手段はこれに限定されない。例えば、予め実験等がされていることで複数の成分のうち皮膚の非賦活時及び皮膚の賦活時と相関関係にある成分波形を示す成分が特定されている場合には、解析部３２は、複数の成分から特定されている該成分を判定用成分として抽出する。なお、解析部３２による第１条件を満たすか否かの判定の基準は、皮膚状態推定装置１０の利用目的等に応じて、シミュレーションや実験、机上計算等によって適宜決定される。
【００５３】
第２条件は、抽出した判定用成分において、人体の所定部位の皮膚に温度変化がある、という条件である。解析部３２は、判定用成分のうち、第２条件を満たす成分を、特定の疾患等に関連している可能性の高い成分と判定し、候補成分として抽出する。すなわち、解析部３２は、人体の所定部位の皮膚の温度変化の有無に基づき、判定用成分が特定の疾患等に関連しているか否かを判定する。一方で、解析部３２は、所定部の皮膚に温度変化が生じていない場合には、該判定用成分は第２条件を満たさず特定の疾患等に関連する皮膚温度の変化を示す成分ではない、と判定する（ステップＳ６）。なお、解析部３２による第２条件を満たすか否かの判定の基準は、皮膚状態推定装置１０の利用目的等に応じて、シミュレーションや実験、机上計算等によって適宜決定される。
【００５４】
そして、解析部３２は、ステップＳ５ｂにおいて第２条件を満たすと判定した成分を、特定の疾患等を反映した皮膚温度の変化を示す成分として同定する（ステップＳ７）。すなわち、ステップＳ７において特定の疾患等を反映した皮膚温度の変化を示す成分として同定される成分は、温度換算データに応じた皮膚温度データを特異値分解により分解し解析することで抽出された候補成分と、相対温度換算データに応じた皮膚温度データを特異値分解により分解し解析することで抽出された候補成分と、の間で一致している成分ということになる。なお、両解析で一致していない候補成分については、ステップＳ６において特定の疾患等に関連する皮膚温度の変化を示す成分ではない、と判定される。
【００５５】
推定部３３は、解析部３２において特定の疾患等に関連する皮膚温度の変化を示す成分として同定された成分に基づいて、検査対象部位の皮膚状態を推定する。
【００５６】
（３−１−１）変形例１Ａ
上記皮膚状態推定手段３０は換算部３１を有しており、換算部３１によって相対温度換算データに応じた皮膚温度データが作成されている。そして、解析部３２が、皮膚温度取得手段２０により取得された温度換算データに応じた皮膚温度データだけでなく、相対的な温度データに換算された温度データに基づく相対温度データに応じた皮膚温度データについても、特異値分解により複数の成分に分解し、各成分についての解析を行っている。
【００５７】
これに代えて、皮膚状態推定手段３０が換算部３１を有していなくてもよい。この場合、相対温度換算データに応じた皮膚温度データを作成したり、相対温度換算データに応じた皮膚温度データに基づくデータの解析を行ったりする処理を省くことができる。
【００５８】
ただし、特定の疾患等に関連する成分を精度よく同定するためには、上記実施形態のように皮膚状態推定手段３０が換算部３１を有しており、解析部３２によって、皮膚温度取得手段２０により取得された温度換算データに応じた皮膚温度データだけでなく、相対的な温度データに換算された温度データに基づく相対温度データに応じた皮膚温度データについても、特異値分解により複数の成分に分解され、各成分についての解析が行われるほうが望ましい。
【００５９】
（３−１−２）変形例１Ｂ
また、上記皮膚温度取得手段２０は、対象物と非接触の状態で温度データを取得することができる赤外線サーモグラフィ装置である。
【００６０】
しかしながら、人体の検査対象部位の皮膚温度を検出し、検出した温度データ及びその検出部位の位置データを含む皮膚温度データを時系列で取得することができれば、皮膚温度取得手段は赤外線サーモグラフィ装置に限定されない。
【００６１】
例えば、皮膚温度取得手段が温度センサを含む装置であってもよい。具体的には、人体の検査対象部位に温度センサを装着し、温度センサによって検出される温度データと、温度センサを装着した部位の位置データとに基づいて、時系列の皮膚温度データが取得されてもよい。このように、温度センサにより対象となる個人に接触した状態で皮膚温度データが取得される場合であっても、温度センサは脳波計測法、磁気共鳴画像法、及び近赤外線分光法等の従来の検出方法と比較して、簡便にデータを取得することができる。これにより、簡便に検査対象部位の皮膚状態を推定することができる。
【００６２】
（３−２）撮影画像データに基づき皮膚状態を推定する皮膚状態推定手段１３０
図３は、本発明の実施形態に係る皮膚状態推定装置１１０の概略図である。図４は、皮膚状態推定装置１１０において特定の疾患等に関連する皮膚のＲＧＢ変化を示す成分を同定する際の処理の流れの一例を示すフローチャートである。
【００６３】
皮膚状態推定装置１１０の備える皮膚状態推定手段１３０は、人体の検査対象部位の皮膚の撮影画像データから、皮膚状態の異常及び特定の疾患等を推定するための装置である。皮膚状態推定装置１１０は、図３に示すように、画像データ取得手段１２０と、皮膚状態推定手段１３０と、状態可視化手段２００と、を備える。
【００６４】
画像データ取得手段１２０は、人体の検査対象部位の皮膚の少なくとも一部の撮影画像データを時系列で取得する（ステップＳ１０１）。なお、画像データ取得手段１２０は、少なくとも撮影装置を有するものであれば特に限定されるものではなく、例えば、スマートフォンやタブレット（例えば、iPad：登録商標）等の撮影装置内蔵型ポータブル端末等が挙げられる。ここでは、画像データ取得手段１２０は、図３に示すように、撮影装置としてのカメラ１２１と、記憶部１２２とを有する。カメラ１２１は、検査対象部位の皮膚の撮影画像データを時系列で取得するためのものである。ここでは、カメラ１２１は、検査対象部位の動画を撮影し、撮影した動画データを取得する。記憶部１２２は、撮影装置により撮影された時系列の撮影画像データを蓄積する。ここでは、記憶部１２２は、カメラ１２１によって取得された動画データを蓄積する。
【００６５】
また、ここでは、画像データ取得手段１２０により検査対象部位の皮膚の時系列の撮影画像データが取得されている間に、検査対象部位の皮膚を賦活化する期間与えられる。すなわち、画像データ取得手段１２０により取得される撮影画像データには、検査対象部位の皮膚を賦活化する期間のデータが含まれていることになる。なお、検査対象部位の皮膚の賦活化は皮膚が賦活状態になると推定されるものであれば特に限定されるものではなく、例えば、皮膚状態推定装置１１０の利用目的に応じてその内容が適宜決定されるよう構成されていてもよい。
【００６６】
皮膚状態推定手段１３０は、画像データ取得手段１２０により取得された皮膚の時系列の撮影画像データに基づき、検査対象部位の皮膚状態を推定する。具体的には、皮膚状態推定手段１３０は、図３に示すように、ＲＧＢ処理部１３１と、換算部１３２と、血行量算出部１３３と、解析部１３４と、推定部１３５と、を有する。なお、図３では、皮膚状態推定手段１３０が、ＲＧＢ処理部１３１、換算部１３２、血行量算出部１３３、解析部１３４及び推定部１３５を有する１つの装置として存在している態様が示されているが、本発明はこれに限定されるものではなく、ＲＧＢ処理部１３１、換算部１３２、血行量算出部１３３、解析部１３４及び推定部１３５の一部或いはそれぞれが独立した装置として存在していてもよい。また、ここでは、画像データ取得手段１２０、ＲＧＢ処理部１３１、換算部１３２、及び血行量算出部１３３により血行量取得手段が構成されている。
【００６７】
ＲＧＢ処理部１３１は、画像データ取得手段１２０により取得された撮影画像データに対して、Ｒ成分、Ｇ成分及びＢ成分の３つの色成分に分解するＲＧＢ処理を行う（ステップＳ１０２）。
【００６８】
換算部１３２は、ＲＧＢ処理により得られた撮影画像データのＲＧＢデータを相対的なＲＧＢデータに換算する（ステップＳ１０３）。具体的には、換算部１３２は、取得された所定時間毎（例えば、３０秒）の撮影画像データから得られるＲＧＢデータの平均値を基準値として、該ＲＧＢデータを相対的なＲＧＢデータに換算する。
【００６９】
血行量算出部１３３は、ＲＧＢ処理により得られた撮影画像データのＲＧＢデータに基づき、皮膚の時系列の血行量データを算出する（ステップＳ１０４）。
【００７０】
解析部１３４は、時系列の相対換算血行量データを、特異値分解、主成分分析或いは独立成分分析により複数の成分に分解する（ステップＳ１０５）。ここでは、解析部１３４は、相対換算血行量データに対して、ＭＡＴＬＡＢ（登録商標）のＳＶＤを分析ツールとして用いて、特異値分解を行う。具体的には、特異値分解は、時系列の相対換算血行量データを対象として、要因を所定期間（例えば、３０秒）毎の時間データとし、測度をその期間毎における相対的なＲＧＢデータから演算したピクセル毎の相対換算血行量データとして行われる。そして、特異値分解により、時系列の相対換算血行量データを複数の成分に分解し、時間分布と、空間分布と、各成分の大きさを示す特異値とを算出する。
【００７１】
また、解析部１３４は、特異値分解によって分解した複数の成分から特定の疾患等に関連する皮膚のＲＧＢ変化を示す成分を同定するために、各成分が所定条件を満たすか否かを判定する（ステップＳ１０６）。ここで、所定条件としては、例えば、特異値分解によって分解した成分の成分波形の振幅が、皮膚の非賦活時及び皮膚の賦活時の変化と相関関係にあるという条件（以下、第１条件という）や、特異値分解によって分解した成分において検査対象部位に血行量変化があるという条件（以下、第２条件という）等が含まれる。解析部１３４において判定される所定条件としては、１又は複数の条件が設定されていればよく、ここでは、所定条件として第１条件が設定されているものとする。
【００７２】
そして、解析部１３４は、複数の成分のうち所定条件を満たす成分を、判定用成分として抽出する。さらに、解析部１３４は、抽出した判定用成分のうち所定条件に含まれる全ての条件を満たす成分を、特定の疾患等に関連する皮膚のＲＧＢ変化を示す成分として同定する（ステップＳ１０７）。一方、解析部１３４は、複数の成分のうち所定条件に含まれる少なくとも１つの条件を満たさないと判定した成分を、特定の疾患等に関連する皮膚のＲＧＢ変化を示す成分ではないと判定する（ステップＳ１０８）。
【００７３】
ここでは、上述のように所定条件として１つの条件（第１条件）のみが設定されており、皮膚の時系列の撮影画像データを取得している間に、検査対象部位の皮膚を賦活化する期間が一定期間ある。このため、解析部１３４は、検査対象部位の皮膚を賦活化しない期間を皮膚の非賦活時とし、検査対象部位の皮膚を賦活化する期間を皮膚の賦活時として、検査対象部位の皮膚を賦活化する期間及び賦活化しない期間と、各成分の成分波形とを比較解析する。そして、解析部１３４は、成分波形データに基づく比較解析結果を利用して、各成分の成分波形と皮膚の非賦活時及び皮膚の賦活時とが相関関係にあるか否かを評価し、複数の成分のうち相関関係にあると評価した成分を、所定条件を満たす判定用成分として抽出すると共に、特定の疾患等に関連した皮膚のＲＧＢ変化を示す成分として同定する。一方、解析部１３４は、複数の成分のうち相関関係にないと評価した成分を、所定条件を満たさず特定の疾患等に関連した皮膚のＲＧＢ変化を示す成分ではないと判定する。
【００７４】
ここでは、皮膚の時系列の撮影画像データが取得される際に検査対象部位の皮膚を賦活化する期間与えられており、これに基づき解析部１３４が判定用成分を抽出しているが、第１条件の内容、すなわち解析部１３４における判定用成分の抽出手段はこれに限定されない。例えば、予め実験等がされていることで複数の成分のうち皮膚の非賦活時及び皮膚の賦活時と相関関係にある成分波形を示す成分が特定されている場合には、解析部１３４は、複数の成分から特定されている該成分を判定用成分として抽出する。なお、解析部１３４による第１条件を満たすか否かの判定の基準は、皮膚状態推定装置１１０の利用目的等に応じて、シミュレーションや実験、机上計算等によって適宜決定される。
【００７５】
また、所定条件として第２条件が設定されている場合には、解析部１３４は、検査対象部位における皮膚の血行量変化の有無に基づき、判定用成分を抽出する。具体的には、解析部１３４は、特異値分解によって分解された複数の成分に応じた血行量分布図に基づき、検査対象部位において血行量の変化が生じているか否かを判定し、血行量の変化が生じている場合には該成分が第２条件を満たしていると判定する。一方で、検査対象部位において血行量の変化が生じていない場合には、解析部１３４は、該成分が第２条件を満たしていないと判定する。なお、解析部１３４による第２条件を満たすか否かの判定の基準は、皮膚状態推定装置１１０の利用目的等に応じて、シミュレーションや実験、机上計算等によって適宜決定されるものとする。
【００７６】
さらに、血行量算出部１３３によって相対的なＲＧＢデータに換算される前のＲＧＢデータに基づく時系列の血行量データが算出される場合には、解析部１３４によって、該血行量データを特異値分解等することで得られた複数の成分についても、上記第１条件及び／又は第２条件が満たされるか否かが判定され、判定用成分が抽出されてもよい。
【００７７】
推定部１３５は、解析部１３４において特定の疾患等に関連する皮膚のＲＧＢ変化を示す成分として同定された成分に基づいて、検査対象部位の皮膚状態を推定する。
【００７８】
（３−２−１）変形例２Ａ
なお、上記血行量算出部１３３において、ＲＧＢデータに含まれる各画素のうちの主にＲ成分を用いて検査対象部位の皮膚の血行量データが算出されてもよい。また、ＲＧＢデータに基づき血行量データを算出できるのであれば、血行量データは必ずしも紅斑指数に限定されるものではない。
【００７９】
（３−２−２）変形例２Ｂ
上記血行量算出部１３３は、換算部１３２によって換算された相対的なＲＧＢデータに基づき相対換算血行量データを算出するが、これに代えて或いはこれに加えて、相対的なＲＧＢデータに換算される前のＲＧＢデータに基づき血行量データが算出されてもよい。ここで、相対的なＲＧＢデータに換算される前のＲＧＢデータに基づき算出された血行量データには、特定の疾患等と相関する成分が出やすい（検定力が高い）ため、例えば、相対的なＲＧＢデータに換算される前のＲＧＢデータに基づき算出された血行量データを、相対的なＲＧＢデータに基づき算出された相対換算血行量データよりも先行して解析してもよい。また、例えば、まず、血行量データを解析して有意な相関のある成分を抽出し、相対換算血行量データに関しては、前記抽出した成分に対応する成分のみを解析することで、演算処理量を減らすことができる。
【００８０】
（３−３）状態可視化手段２００
状態可視化手段２００は、皮膚状態推定手段３０及び／又は皮膚状態推定手段１３０により推定された検査対象部位の皮膚状態に基づき、対象者の生理状態を表示することにより可視化する。例えば、状態可視化手段２００が、対象者の血行状態の変化を解析することで、対象者の生理状態を解析する解析部２０１を有していてもよい。具体的には、解析部２０１が、検出対象部位の皮膚に与えられた刺激に対する血行状態の変化を解析することで、対象者の生理状態を判定する。なお、生理状態の種類やレベルについては、血行状態の上昇度合い及び／又は持続時間に基づき、皮膚状態推定装置１０，１１０の用途に応じて適宜設置可能になっていてもよい。そして、解析部２０１により解析された対象者の生理状態を状態可視化手段２００の表示部２０２から管理者へと出力されることで、管理者は対象者の生理状態を知ることができる。表示部２０２としては、画像やメッセージを表示する表示デバイス等、解析した対象者の生理状態に関する情報を管理者に対して可視化できるものであればどのようなものであっても採用することができる。
【００８１】
また、解析部３２，１３４において特定の疾患等に関連する成分が同定された後に、さらに皮膚温度取得手段２０及び／又は画像データ取得手段１２０により時系列の各種データが取得される場合には、皮膚状態推定装置１０，１１０において、さらに取得された各種データが特異値分解により複数の成分に分解され、同定された成分のみが解析されることで、対象者の生理状態をリアルタイムで知ることができる。
【００８２】
さらに、検出対象部位の皮膚温度や撮影した画像から被験者の心拍情報や生体情報等を取得する技術が既に存在するが、皮膚温度取得手段２０及び／又は画像データ取得手段１２０から得られた各種データが特異値分解等されることで得られる成分に対して従来の技術を採用することで、心拍情報や生体情報を精度良く取得することができる。したがって、特異値分解した複数の成分を解析して心拍情報や生体情報を取得する機能を、解析部３２及び／又は解析部１３４に持たせ、取得した心拍情報や生体情報に基づき交換神経／副交感神経の働きを推定する機能を上記実施形態の推定部３３，１３５に持たせてもよい。
【００８３】
（４）特徴
（４−１）
本実施形態では、皮膚温度取得手段２０及び／又は画像データ取得手段１２０によって取得された時系列の皮膚温度データ及び／又は皮膚状態データに基づき検査対象部位の皮膚状態が推定される。したがって、センサ等を装着しなくても、検査対象部位の皮膚状態を簡便に推定し、推定した皮膚状態に基づき対象者の生理状態を可視化することができる。
【００８４】
（４−２）
ここで、時系列の皮膚温度データ及び／又は画像データが取得される際に、検査対象部位の皮膚が賦活化されたりされなかったりすることにより、皮膚温度及び／又は血行量の変化を示す成分から特定の疾患等を推定することができる。
【００８５】
本実施形態では、皮膚温度取得手段２０及び／又は画像データ取得手段１２０により時系列の皮膚温度データ及び／又は画像データが取得されている間に、検査対象部位の皮膚が一定期間賦活化されている。すなわち、本実施形態では、検査対象部位の皮膚を冷却したりしなかったりすることにより、皮膚が賦活化したり賦活化しなかったりする状況が作られている。そして、このように取得された時系列の各種データが特異値分解により複数の成分に分解され、各成分についてその成分波形と皮膚の賦活時及び非賦活時との相関関係が評価され、相関関係にある成分が判定用成分として複数の成分から抽出される。このため、例えば、予め実験等により特定された所定の成分が抽出用成分として複数の成分から抽出される場合と比較して、特定の疾患等と関連性の低い成分が抽出用成分として複数の成分から抽出されるおそれを低減することができている。
【００８６】
なお本実施形態において「疾患」という用語は、特定の病気の原因だけではなく、人体において何かしらの異常を生じさせる原因を含む概念である。
【００８７】
（５）皮膚状態推定装置の用途例
次に、本発明に係る皮膚状態推定装置の用途例について説明する。
【００８８】
上記実施形態又は上記変形例の皮膚状態推定装置１０，１１０を、検査対象部位の皮膚の異常を判定する異常判定装置３１０に適用する例を説明する。
【００８９】
詳しくは、図５に示すように、上記状態可視化手段２００に疾患情報記憶部２１０を設ける。この疾患情報記憶部２１０は、皮膚状態の推定結果と「疾患情報」とを関連付けて記憶するメモリである。ここでは、例えば、特定の疾患等を罹患している状態の対象者及び健康状態の対象者に同一の皮膚機能賦活課題を一定期間与えたときの皮膚温度データ及び／又は皮膚血行量データを収集する。そして、各対象者の症状に応じて皮膚温度データ及び／又は皮膚血行量データに基づいて皮膚状態の推定結果を分類し、分類した皮膚状態の推定結果と疾患情報とを関連付けて疾患情報記憶部２１０に格納する。疾患情報は、例えば皮膚がん・乳がん・ニキビ・コリ・未病等を示すデータである。このような皮膚状態の推定結果と疾患情報との相関関係は適宜最適化される。
【００９０】
そして、状態可視化手段２００が、皮膚状態推定手段３０，１３０により算出された皮膚状態の推定結果に基づいて、疾患情報記憶部２１０から疾患情報を抽出する。状態可視化手段２００は、疾患情報記憶部２１０から疾患情報を抽出できた場合、検査対象部位が異常であると判定し、その異常の原因として抽出した疾患情報を提示する。一方、状態可視化手段２００は、疾患情報記憶部２１０から疾患情報を抽出できなかった場合、検査対象部位が正常であると判定する。
【００９１】
要するに、異常判定装置３１０は、皮膚温度取得手段２０及び／又は画像データ取得手段１２０と、皮膚状態推定手段３０，１３０と、状態可視化手段（異常判定手段）２００とを備える。皮膚温度取得手段２０は、皮膚温度データを時系列で取得する。画像データ取得手段１２０は、検査対象部位の皮膚の撮像画像データを時系列で取得する。皮膚状態推定手段３０，１３０は、皮膚温度データ及び／又は皮膚血行量データを、特異値分解、主成分分析或いは独立成分分析により分解することで得られた複数の成分に基づき、検査対象部位の皮膚状態を推定する。状態可視化手段２００は、皮膚状態推定手段３０により推定された検査対象部位の皮膚状態に基づき、対象者に対して、検査対象部位が異常であるか否かを提示する。このようにして、異常判定装置３１０によれば、皮膚状態を簡便に推定できる。
【００９２】
なお、特許文献１に記載の技術では、Ｔ１時点とＴ０時点との差分をとったデータを用いている。差分をとると、時間変化がなかった部分のデータはキャンセルされ、「形態」を示す空間情報が少なくなる。要するに、時間変化が起こるデータしか捉えられない。これに対し、本実施形態に示した特異値分解等を用いた技術では、変化を示す成分の他に、変化を示さない成分も同定することができる。したがって、多くの情報を活用して画像変化をより正確に捉えることができる。
【００９３】
また、特許文献１に記載の技術では、差分をとるために、被検体が「動いた場合」に、映像のフレームレートを再度変えてから分析する必要がある（段落［００１４］等）。フレームレートを変えることは「分析を最初からやり直す」ことを意味するので、計算量が飛躍的に増えてしまい、リアルタイム処理が不可能になる。これに対し、本実施形態に示した特異値分解等を用いた技術では、動きは一つの成分として抽出できるので、「所定のフレームレートで画像を更新記録する」必要がないという利点がある。
【００９４】
（５−１）皮膚がん及び乳がんの異常判定
上記異常判定装置３１０を、皮膚がん・乳がん・ニキビの異常判定に対して用いる場合の一例を説明する。
【００９５】
皮膚がん又は乳がんの異常判定をする場合は、対象者の検査対象部位の皮膚にエタノールを塗布する、もしくはエアコンの冷風を当てることにより、当該部位の皮膚を所定時間冷却する。皮膚は冷却されることで温度が低下し、冷却が終了すると徐々に元の温度に戻る。このようにして皮膚を賦活化及び非賦活化する。
【００９６】
ここで、検査対象部位に皮膚がん又は乳がんが生じている場合、代謝が昂進し局所的に発熱が生じるので、皮膚を冷却しても、温度の低下速度及び低下量が少ない。そこで、皮膚状態推定手段により得られた複数の成分のうち、冷却中の温度低下が少ない成分で、かつ空間成分マップにおいて、皮膚がん等の形状と似た空間成分（具体的には顔にできた「斑点」を示すような空間成分）を抽出する。すなわち、皮膚がん等の平均的な直径に基づいて皮膚がん等の大きさを予め設定しておき、その大きさを有する領域に局所的に発熱が生じているか否かを抽出する。なお、平均的な皮膚がん等の大きさ以外の変化は空間的ノイズとみなす。また、単なるノイズであるか否かは、冷却中に温度が低下する、もしくは空間成分マップにおいて斑点のような画像が抽出されない、ということで判定される。
【００９７】
このようにして、賦活化前後の皮膚状態の変化が解析され、対象者が皮膚がん又は乳がんに疾患している可能性があることが提示される。
【００９８】
なお、特許文献２に記載の技術は、サーモグラフィの画像を三次元化するための技術であるが、皮膚の温度は種々の要因により変化する。そのため、乳がんとそれ以外の熱源の区別が難しい。例えば、特許文献２に示されているような衣服を着た状態の場合、熱が皮膚全体に伝搬し、皮膚がんの部位の特定が難しくなる。これに対し、本実施形態に示したような特異値分解等を用いた技術であれば、熱に関するデータを空間成分と時間成分に分けることが可能であり、多量の情報を用いて解析することから、乳がんを高確率で発見できる。
【００９９】
（５−２）ニキビの異常判定
ニキビの場合も炎症を伴っているので、皮膚を冷却しても温度が低下しにくくなる。したがって、上述した皮膚がん及び乳がんの異常判定と同様の原理を用いることで、ニキビが生じているか否かを判定することもできる。ただし、この場合は、皮膚がん等ではなく、ニキビに大きさを予め設定しておくことになる。
【０１００】
また、皮膚がん等とニキビとを同時に判定することもできる。皮膚がん等とニキビとの区別は、大きさ、温度変化の違い、検査対象部位に基づいて判定される。
【０１０１】
なお、特許文献３に記載の技術は、膨らみ・色・関節可動域等から関節等の炎症を判定するものである。しかしながら、特許文献３に記載されているサーモグラフィを用いた技術では、軽い炎症等を検知できないことがある。炎症以外の種々の要因に温度が影響されてしまうからである。これに対し、本実施形態に示した特異値分解等を用いた技術では、熱に関する情報を時間成分及び空間成分に分けることにより、炎症と関連する熱成分のみを取り出すことが可能であるので、複数の測度（膨らみ・可動域など）を測定しなくても炎症を同定できる。
【０１０２】
（５−３）コリの異常判定
上記異常判定装置３１０を用いてコリを客観的に定量化することもできる。この場合も、対象者の検査対象部位の皮膚にエタノールを塗布する、もしくはエアコンの冷風を当てることにより、当該部位の皮膚を所定時間冷却する。
【０１０３】
ここで、検査対象部位の筋肉がコリの状態である場合、血流が低下することから局所的に低温部分が出現する。そこで、皮膚状態推定手段により得られた複数の成分のうち、冷却中の温度低下が大きい成分で、かつ空間成分マップにおいて筋肉の配置や血管の配置と同じような配置を示す成分を抽出することで、コリ状態であるか否かを判定できる。なお、冷却との相関が低かったり、空間成分マップの形が筋肉や血管の配置と異なったりする場合にはノイズであるとみなされる。
【０１０４】
このようにして、賦活化前後の皮膚状態の変化が解析され、検査対象部位にコリがあるか否が判定される。
【０１０５】
（５−４）未病の異常判定
未病の場合も血流が低下するので、皮膚を冷却しても温度が低下し易くなる。したがって、上述したコリの異常判定と同様の原理を用いることで、未病が生じているか否かを判定することもできる。なお、ここで「未病」とは、健康状態の範囲であるが病気に近い状態のこという。
【０１０６】
また、コリと未病とを同時に判定することもできる。この際、未病は身体全体の血流に影響するので、コリに比して対象部位が広い。したがって、コリは、温度画像の全平均値を「０」とした相対的なデータから検出することができる。これに対し、未病は、温度画像の全平均値を「０」とした相対的なデータを用いると、その成分の信号が消えるか低下することになる。このような性質の違いから、コリと未病の同時判定が可能となる。
【０１０７】
（６）スマートデバイスの利用
本実施形態に係る皮膚状態推定装置１０，１１０は、スマートデバイスに格納されるものであってもよい。具体的には、皮膚温度取得手段２０及び／又は画像データ取得手段１２０と、皮膚状態推定手段３０，１３０と、状態可視化手段２００とが多機能機能携帯電話等のスマートデバイスに格納されていてもよい。この構成により、ユーザは携帯しているスマートデバイスにより情報の入出力及び演算が可能となるので、ユーザは検査対象部位が異常であるか否かを簡便に判定できる。
【０１０８】
なお、上述の形態に代えて、皮膚温度取得手段２０及び／又は画像データ取得手段１２０と状態可視化手段２００とを多機能機能携帯電話等のスマートデバイスに格納し、皮膚状態推定手段３０，１３０をサーバ装置に格納する構成を採用してもよい。この場合、スマートデバイス本体の演算負荷を軽減することができる。また、サーバ装置上でデータ管理することで、多数のデータを収集し最適化していくことで、出力結果の精度を高めていくことができる。例えば皮膚状態の推定結果と疾患情報との関連を適時最適化していくことで、疾患情報の精度を高めることができる。
【０１０９】
＜付記＞
なお、本発明は、上記実施形態そのままに限定されるものではない。本発明は、実施段階ではその要旨を逸脱しない範囲で構成要素を変形して具体化できる。また、本発明は、上記実施形態に開示されている複数の構成要素の適宜な組み合わせにより種々の発明を形成できるものである。例えば、実施形態に示される全構成要素から幾つかの構成要素は削除してもよいものである。さらに、異なる実施形態に構成要素を適宜組み合わせてもよいものである。
【産業上の利用可能性】
【０１１０】
本発明によれば、皮膚状態を簡便に推定することができるため、皮膚状態に基づき対象者の生理状態を可視化する皮膚状態推定装置への適用が有効である。
【符号の説明】
【０１１１】
２０        皮膚温度取得手段
２００        状態可視化手段
２０１        解析部
２１０        疾患情報記憶部
３１２        異常判定装置
１０，１１０  評価装置
３０，１３０  皮膚状態推定手段
【先行技術文献】
【特許文献】
【０１１２】
【特許文献１】特開平７−１２４１２６号公報
【特許文献２】特表２００８−５０５６８４号公報
【特許文献３】特表２００３−５２４４９０号公報
【図１】
2017074217.tif 000004
【図２】
2017074217.tif 000005
【図３】
2017074217.tif 000006
【図４】
2017074217.tif 000007
【図５】
2017074217.tif 000008
【手続補正書】
【提出日】平成29年2月14日(2017.2.14)
【手続補正１】
【補正対象書類名】特許請求の範囲
【補正対象項目名】請求項６
【補正方法】変更
【補正の内容】
【請求項６】
請求項１から５のいずれか１項に記載の皮膚状態推定装置の作動方法であって、
前記検査対象部位の皮膚を冷却して、その検査対象部位の皮膚を賦活化する皮膚賦活化工程と、
前記賦活化工程の前後の前記皮膚温度データ及び／又は前記皮膚血行量データに基づいて、皮膚がん、ニキビ、乳がん、コリ及び未病の少なくとも一つの症状に前記検査対象部位が該当するか否かを判定する症状判定工程と、
を具備する皮膚状態推定装置の作動方法。